(57)【特許請求の範囲】
【請求項１】
着用者の乳房を収容可能な一対のカップ部と、前記カップ部に一体的に接続され当該カップ部に収容された乳房に接する接触面を有する接触部とを備えた授乳用ブラジャーであって、
着用者の肩に接触する肩紐を有し、
前記肩紐は、その一方の端部を含む一部の範囲が前記カップ部と前記接触部との間に配されて、当該一部の範囲に属する端部が当該カップ部と当該接触部の少なくともいずれか一方に一体に接続されると共に、当該一部の範囲に属さない他の部分のいずれかが着脱手段を介して当該カップ部と当該接触部の少なくともいずれか一方に着脱自在に接続されており、
前記カップ部と前記接触部は、前記肩紐の一部の範囲に沿って一体的に変位可能であり、着用者の乳房を覆う通常姿勢から前記肩紐の一部の範囲に沿って所定の方向に変位させると、変位した姿勢が自律的に維持されることを特徴とする授乳用ブラジャー。
【請求項２】
前記着脱手段は、嵌合部材によって構成されていることを特徴とする請求項１に記載の授乳用ブラジャー。
【発明の詳細な説明】
【技術分野】
【０００１】
本発明は、授乳用ブラジャーに関するものである。
【背景技術】
【０００２】
従来から、主に妊婦や産婦が着用する授乳用ブラジャーが市場に提供されている。一般に、授乳用ブラジャーは、乳児への授乳を容易にするために、カップ部内に収容された乳房を外部に露出し易い機能が備えられている。
【０００３】
例えば、特許文献１には、カップ部の上端部を肩紐に対して着脱自在に接続し、カップ部と肩紐との接続状態を解除すると、そのカップ部が下方に向けて垂れるように反転した姿勢（カップ部の内面が見えるようにめくれた姿勢）に変化し、カップ部内部に収容されていた乳房を外部に露出可能な授乳用ブラジャー（以下「ストラップオープンブラジャーともいう」）が開示されている。
【０００４】
また、特許文献２には、伸縮性を有する生地で形成されたカップ部を、引き下げるようにして（カップ部の内側又は外側から広げるようにして）乳房を露出可能にした授乳用ブラジャー（以下「クロスオープンブラジャー」ともいう）が開示されている。
【先行技術文献】
【特許文献】
【０００５】
【特許文献１】実開平４−１０６３０３号公報
【特許文献２】特開２０１１−１７０９４号公報
【発明の概要】
【発明が解決しようとする課題】
【０００６】
しかしながら、上記したような従来のストラップオープンブラジャーは、授乳の際にカップ部がその内面が見えるような姿勢となり、必要以上に乳房を露出した状態になるため、外出先などでは授乳し難いといった問題があった。
【０００７】
これに対して、上記した従来のクロスオープンブラジャーは、授乳の際に上記ストラップオープンブラジャー程乳房が必要以上に外部に露出されることはないが、乳房を外部に露出するために引き下げたカップ部を乳房に引っ掛ける必要がるため、不要なタイミングでその引っ掛かりが外れて、意図せずカップ部が乳房を収容する姿勢に戻ってしまう場合があった。その結果、従来のクロスオープンブラジャーは、授乳し難いという問題があった。
【０００８】
そこで、本発明は、必要以上に乳房を露出することなく、乳児に対して容易に授乳を行うことが可能な授乳用ブラジャーを提供することを目的とする。
【課題を解決するための手段】
【０００９】
本発明の授乳用ブラジャーは、着用者の乳房を収容可能な一対のカップ部と、前記カップ部に一体的に接続され当該カップ部に収容された乳房に接する接触面を有する接触部とを備えた授乳用ブラジャーであって、着用者の肩に接触する肩紐を有し、前記肩紐は、その一方の端部を含む一部の範囲が前記カップ部と前記接触部との間に配されて、当該一部の範囲に属する端部が当該カップ部と当該接触部の少なくともいずれか一方に一体に接続されると共に、当該一部の範囲に属さない他の部分のいずれかが着脱手段を介して当該カップ部と当該接触部の少なくともいずれか一方に着脱自在に接続されており、前記カップ部と前記接触部は、前記肩紐の一部の範囲に沿って一体的に変位可能であり、着用者の乳房を覆う通常姿勢から前記肩紐の一部の範囲に沿って所定の方向に変位させると、変位した姿勢が自律的に維持される。
【００１０】
かかる構成により、着脱手段の接続が解除されて、カップ部及び接触部と肩紐との接続が解除されると、カップ部と接触部とを肩紐１３の一部の範囲に沿って変位させることが可能となり、当該カップ部と接触部と変位させた授乳に適した姿勢に変更することができる。そのため、授乳に適した姿勢のカップ部と接触部とが、従来のストラップオープンブラジャーのように、その内面がめくれたような姿勢になることがないので、乳房が必要以上に露出してしまうことがない。
【００１２】
かかる構成により、カップ部と接触部とを肩紐の一部の範囲に沿って変位させて授乳に適した姿勢に変更しても、意図せず通常姿勢に戻ることがないため、乳児に容易に授乳をすることができる。
【００１３】
また、前記着脱手段は、嵌合部材によって構成されていてもよい。
【００１４】
かかる構成により、ホックを外すような操作をするだけでカップ部と肩紐との接続を解除することができるため、初心者でも着脱手段の操作を含むカップ部の姿勢変更を容易に行うことができる。
【発明の効果】
【００１５】
本発明によれば、必要以上に乳房を露出することなく、乳児に対して容易に授乳を行うことが可能な授乳用ブラジャーを提供することができる。
【図面の簡単な説明】
【００１６】
【図１】本発明の実施形態に係る授乳用ブラジャー１を正面から示す斜視図
【図２】図１の授乳用ブラジャー１を背面から示す斜視図
【図３】図１の授乳用ブラジャー１を展開して背面側から内布を透視した展開図
【図４】着脱手段７を示す拡大斜視図であり、（Ａ）は正面側から示し、（Ｂ）は背面側から示す
【図５】第１本体部を授乳姿勢に変更した状態を背面から示す斜視図
【図６】図１の授乳用ブラジャー１の実際の使用方法を示す説明図であり、（Ａ）は授乳直前の状況を示し、（Ｂ）は第２本体部２６を授乳姿勢に変更した状況を示し、（Ｃ）は授乳後に第２本体部２６を通常姿勢に変更した状況を示す
【発明を実施するための形態】
【００１７】
［本実施形態に係る授乳用ブラジャー１の概要］
以下、本発明の実施形態に係る授乳用ブラジャー１について説明する。図１は、本発明の実施形態に係る授乳用ブラジャー１を正面から示す斜視図である。また、図２は、図１の授乳用ブラジャー１を背面から示す斜視図である。
【００１８】
図１，２に示す授乳用ブラジャー１は、一対のカップ部１１，１２を有する女性用の下着であり、主に妊婦や産婦が着用するブラジャーである。この授乳用ブラジャー１は、一般のブラジャーと同様、使用者は自身の乳房を一対のカップ部１１，１２に収容するようにして着用するものである。また、授乳用ブラジャー１は、使用者が着用した状態においてカップ部１１，１２を吊持可能な肩紐１３と、使用者が着用した状態においてカップ部１１，１２を使用者の身体に密着させる脇帯１５とを有しており、これらによってカップ部１１，１２が使用者の所望の位置（乳房の位置）に固定される。そして、本実施形態のブラジャー１では、これらの基本的構成に加えて、授乳時において各カップ部１１，１２の姿勢変更を可能とする姿勢変更手段５が備えられている。
以下、図面を参照にして、授乳用ブラジャー１の各構成について詳細に説明する。なお、以下の説明において、「上下の方向」は使用者の着用状態（図６参照）を基準とし、「左右の方向」は使用者の目線を基準とする。
【００１９】
［授乳用ブラジャー１の各構成について］
（一対のカップ部１１，１２）
図３は、図１のブラジャー１を展開して背面視した展開図である。一対のカップ部１１，１２のそれぞれは、所定の生地を用いて形成されたものであり、図１，２に示すように、乳房の形状に沿うような曲面を呈したほぼ半球状の構造である。具体的には、各カップ部１１，１２は、曲面の凸側を外面（図１参照）とし、その反対側（凹側）の面を内面（図２参照）とする構成であり、その内面側に使用者のバストを収容する空間が形成される。
【００２０】
各カップ部１１，１２は、図１，２に示すように、図示しない上下方向に延びる仮想線を基準に線対称となるように並べられ、並べられたカップ部１１，１２の間において、着物のように打ち合わせた（いわゆるカシュクール）部分を形成するように配され、下端側においてほぼ軸状の連結部２１を介して一体的に連結されている。具体的には、図３に示すように、左右に並べられた一対のカップ部１１，１２は、その下端側を縁取るように連結部２１が配され、その状態で、連結部２１に対して縫着されている。
【００２１】
また、この一対のカップ部１１，１２の内面側（凹側）には、カップ部１１，１２に収容された乳房が直接的に接触する内布３１が設けられている（図２参照）。この内布３１は、比較的肌触りが良い所定の生地により形成されており、各カップ部１１，１２に対して１枚ずつ配されている。それぞれの内布３１ａ，３１ｂは、各カップ部１１，１２よりも若干小さめのサイズで、且つ各カップ部１１，１２とほぼ同一の形状となるように形成されている。
【００２２】
この内布３１ａ，３１ｂは、各カップ部１１，１２の内面を覆うように配され、その状態で、内布３１ａ，３１ｂの下端側が連結部２１に一体的に縫着されると共に、その内布３１ａ，３１ｂの外端側が各カップ部１１，１２の外縁に一体的に縫着されている。なお、カップ部１１，１２の「外縁」とは、授乳用ブラジャー１の中心を内側としたときに、その内側に対向する方向にある縁を意味するものとする。つまり、一方（右側）のカップ部１１の外縁は図３に示す太線の「外縁Ｓ」となり、他方（左側）のカップ部１２の外縁は図３に示す太線の「外縁Ｌ」となる。内布３１ａ，３１ｂにおける「外端」についても同様とする。
【００２３】
一方、この内布３１ａ，３１ｂの内端側、つまり授乳用ブラジャー１の中心側は、カップ部１１，１２に対して一部のみが縫着され、それ以外の部分は縫着されていない。具体的には、内布３１ａ，３１ｂの内端側では、カップ部１１，１２の外縁から所定の距離ｆ（例えば「２ｃｍ」）離反した個所だけが縫着され、その他の箇所においては開放されている。これにより、内布３１ａ，３１ｂの内端側には、図３に示すように、縫着された部分を境に、カップ部１１，１２の外縁側に近い開放部Ｇ１と、その開放部Ｇ１に隣接する開放部Ｇ２が形成されている。これらの開放部Ｇ１，Ｇ２は、内布３１ａ，３１ｂとカップ部１１，１２との間の部分（空間又は隙間）と外部とを連通している。
【００２４】
また、図３に示すように、一対のカップ部１１，１２の連結に寄与する連結部２１には、一対のカップ部１１，１２に対向する側（カップ部１１，１２よりも下方側）に土台部２２がさらに縫着されている。この土台部２２は、上記カップ部１１，１２と同様の生地によって形成された平面状の部材である。なお、他の実施形態では、このような土台部２２を備えない授乳用ブラジャーであってもよい。
【００２５】
なお、以下の説明において、一方のカップ部１１と内布３１ａとの複合体を示す場合は「第１本体部２５」と称し、他方のカップ部１２と内布３１ｂとの複合体を示す場合は「第２本体部２６」と称す。
【００２６】
（脇帯１５）
脇帯１５は、上記カップ部１１，１２と同様の生地によって形成されたものであり、図３に示すように、上記一対のカップ部１１，１２のうちの一方のカップ部１１側に接続された被係合側脇帯１５ａと、他方のカップ部１２側に接続された係合側脇帯１５ｂとで構成されている。
【００２７】
具体的には、被係合側脇帯１５ａは、図３に示すように、カップ部１１側に接続された一方の端部側が他方の端部側よりも幅広形状であり、当該他方の端部（以下「被係合側端部」ともいう）側に係合手段の一部を構成する被係合部３２（図２参照）が設けられている。係合側脇帯１５ｂは、その形状は被係合側脇帯１５ａと同一であるが、他方の端部（以下「係合側端部」ともいう）側に係合手段の一部を構成する係合部３３が設けられている点が被係合側脇帯１５ａと異なる。この係合手段を構成する被係合部３２と係合部３３とは、被係合側端部と係合側端部とを重ね合わせた姿勢にすることで互いに係合可能であり、これらを係合することで、被係合側脇帯１５ａと係合側脇帯１５ｂと一対のカップ部１１，１２とが使用者の胴回りを囲繞する環状構造を形成する。
【００２８】
（肩紐１３）
肩紐１３は、伸縮性を有する帯状部材（例えば平ゴム）で形成されており、使用者の肩に配した状態においてカップ部１１，１２を吊持するものである。すなわち、図１，２に示すように、肩紐１３は、各カップ部１１，１２に対してそれぞれ１ずつ配され、いずれも鉛直上方に向けて凸状を呈するライン（使用者の肩を中継点として正面から背中に沿ったライン）となるように、一方の端部Ｊ（図３参照）が各カップ部１１，１２及び内布３１ａ，３１ｂの下端側に接続されている。また、肩紐１３の他方の端部は、脇帯１５に接続されている。
【００２９】
具体的には、肩紐１３の一方の端部Ｊ側は、図３に示すように、その一部の範囲（以下「肩紐１３の一部の範囲Ｗ」と称す）がカップ部１１と内布３１ａとの間に配された状態で、端部のみがカップ部１１及び内布３１ａ（第１本体部２５）の下端側に一体的に縫着されている。より詳細には、肩紐１３の一部の範囲Ｗは、第１本体部２５に設けられた一方の開放部Ｇ１から第１本体部２５の内部（カップ部１１と内布３１ａとの間）に挿通された状態で、当該肩紐１３の一部の範囲に属する端部Ｊを介して当該第１本体部２５に対して一体に接続されている。換言すれば、肩紐１３の一部の範囲Ｗは、その端部Ｊを固定端として、その他の箇所が第１本体部２５に対して相対的に変位可能な関係にされている。さらに言えば、第１本体部２５が肩紐１３の一部の範囲Ｗに属する端部Ｊを支点として相対的に変位可能な関係でもある。同様の関係が、第２本体部２６と当該第２本体部２６側に設けられた肩紐１３との間においても言える。
【００３０】
このように、肩紐１３は、その一方の端部Ｊ側が第１本体部２５又は第２本体部２６の開放部Ｇ１を介して内部に配され、その状態で第１本体部２５又は第２本体部２６を肩紐１３の一部の範囲Ｗに対して相対的に変位可能とする関係で、第１本体部２５又は第２本体部２６に接続されている。
【００３１】
また、肩紐１３は、図１に示すように、その延伸方向所定の位置（例えば各カップ部１１，１２の直上）において、当該肩紐１３の長さを調整可能とする肩紐調整部３４が設けられている。肩紐調整部３４は、公知のそれと同様の構成であり、肩紐１３の一部を環状構造にして、その環部の大きさを調整することで肩紐１３の長さを調整するものである。
【００３２】
（姿勢変更手段５）
続いて、本実施形態の授乳用ブラジャー１の特徴的構成である姿勢変更手段５について説明する。姿勢変更手段５は、第１本体部２５や第２本体部２６をその下端側を支点として所定方向（着用時を基準にすると上下方向）に変位させることを可能にするものであり、図３に示すように、上記した肩紐１３の一部の範囲Ｗと、第１本体部２５又は第２本体部２６の変位する方向をガイドする上記した開放部Ｇ１と、肩紐１３と各カップ部１１，１２とを着脱自在に接続する着脱手段７とで構成されている。なお、姿勢変更手段５を構成する「肩紐１３の一部の範囲Ｗ」と「開放部Ｇ１」の構成に関しては、上記した説明を準用し、以下での説明を省略する。
【００３３】
図４は、着脱手段７を示す拡大斜視図であり、（Ａ）は正面側から示し、（Ｂ）は背面側から示す図である。着脱手段７は、樹脂製のホック部材であり、図４に示すように、着脱自在に互いに嵌合する嵌合部３５と被嵌合部３６とを有する。嵌合部３５は、肩紐１３に取り付けられるもので、上記肩紐１３の一部の範囲Ｗから逸脱する箇所、具体的にはカップ部１１，１２の上端の直上の位置に取り付けられている。肩紐１３に取り付けられた嵌合部３５は、肩紐１３の通常姿勢（ねじれがない状態）を基準として、自身の凸部が授乳用ブラジャー１の正面側に露出する姿勢を呈する。
【００３４】
被嵌合部３６は、各カップ部１１，１２側に取り付けられるものであり、肩紐１３と同様の帯状部材を用いて各カップ部１１，１２に取り付けられている。具体的には、帯状部材により形成された被嵌合部設置部４１を各カップ部１１，１２の上端側に縫着し、被嵌合部３６はその被嵌合部設置部４１に対して取り付けられている。被嵌合部設置部４１に取り付けられた被嵌合部３６は、被嵌合部設置部４１の通常姿勢（ねじれがない状態）を基準として、自身の凹部が授乳用ブラジャー１の背面側に露出する姿勢を呈する。
【００３５】
これら嵌合部３５と被嵌合部３６は、互いに凸部と凹部とを嵌め合わせて嵌合状態にすることで各本体部２５と肩紐１３との接続状態を維持し、逆に凸部と凹部との嵌め合わせを解除することで各本体部２５と肩紐１３との接続状態を解除した状態にする。
【００３６】
［姿勢変更手段５の機能］
次に、本実施形態の授乳用ブラジャー１における姿勢変更手段５の機能ついて説明する。ここで、図５は、第１本体部を授乳姿勢に変更した状態を背面から示す斜視図である。
【００３７】
上述したように、本実施形態の授乳用ブラジャー１は、左右一対のカップ部１１，１２が連結部２１を介して連結され、その各カップ部１１，１２の外縁に脇帯１５が接続されている。また、各カップ部１１，１２が構成する各本体部２５，２６に対しては、その内部に肩紐１３の一方の端部側が配されて各本体部２５，２６の下端側に縫着されている。なお、肩紐１３の他方の端部側は、脇帯１５に縫着されている。そして、本実施形態の授乳用ブラジャー１では、各本体部２５，２６の姿勢変更を可能とするように、姿勢変更手段５（肩紐１３の一部の範囲、開放部Ｇ１、及び着脱手段７）が設けられている。
【００３８】
すなわち、姿勢変更手段５では、肩紐１３の一部の範囲Ｗが、各本体部２５，２６に設けられた開放部Ｇ１から当該各本体部２５，２６の内部に挿通され、その状態において、肩紐１３の一部の範囲Ｗに属する端部Ｊが当該各本体部２５，２６の下端側に縫着されている。また、肩紐１３には、上記一部の範囲Ｗから逸脱する部分に着脱手段７を構成する嵌合部３５が設けられると共に、各カップ部１１，１２には、その上端に着脱手段７を構成する被嵌合部３６が設けられている。
【００３９】
かかる構成により、本実施形態の授乳用ブラジャー１では、着脱手段７の嵌合が解除されると、嵌合解除された側の本体部２５，２６を、乳房を収容する通常姿勢から乳房を外部に露出する授乳姿勢に変更することが可能となる。
【００４０】
例えば、着脱手段７を嵌合すると、本体部２５，２６と肩紐１３とは接続された状態となり、図１，２に示すように、本体部２５，２６は乳房を収容する通常姿勢を維持する。
【００４１】
一方、例えば、第１本体部２５（又は第２本体部２６）に対応する着脱手段７の嵌合が解除されると、第１本体部２５（又は第２本体部２６）と肩紐１３とは接続が解除された状態となり、第１本体部２５（又は第２本体部２６）は肩紐１３に対して相対的に変位可能な状態となる。具体的には、第１本体部２５（又は第２本体部２６）は、その下端側が肩紐１３の一部の範囲Ｗに属する端部Ｊと接続されているため、当該第１本体部２５（又は第２本体部２６）は、その下端側を支点として当該支点よりも上部側の部分が変位可能な状態となる。
【００４２】
より詳細には、着脱手段７の嵌合が解除された第１本体部２５（又は第２本体部２６）は、その立体的な半球状の構造を維持して変位させることが可能になるのではなく、肩紐１３の一部の範囲Ｗに沿って上方から下方へ圧縮されたような形状に変化するように上記支点を除く全体の位置を下方に変位させることが可能になる。なお、着脱手段７の嵌合が解除された第１本体部２５は、あくまで変位可能な状態になるだけであって、自動的に通常姿勢から変位した姿勢に変化することはない。すなわち、着脱手段７の嵌合の解除後においても、使用者等によって第１本体部２５に対して変位させるための作用が働かない限り、第１本体部２５は自律的に通常姿勢を維持する。
【００４３】
着脱手段７の嵌合の解除後、使用者等によって、第１本体部２５（又は第２本体部２６）が、図５に示すように、肩紐１３の一部の範囲Ｗに沿って最下端に至るまで変位されると、その変位後の形状が自律的に維持され、着用者の乳房が外部に露出する授乳姿勢となる。
【００４４】
なお、本実施形態の授乳用ブラジャー１では、上記したように、第１本体部２５（又は第２本体部２６）に設けられた開放部Ｇ１に肩紐１３の一部の範囲Ｗが挿通されているため、第１本体部２（又は第２本体部２６）５を上下方向に変位させている間、当該上下方向に交差する方向（例えば前後左右方向）に殆どふらつくことがない。すなわち、開放部Ｇ１が第１本体部２５（又は第２本体部２６）のふらつきを制限しつつ変位方向をガイドするため、第１本体部２５（又は第２本体部２６）姿勢変更が容易である。
【００４５】
このように、本実施形態の授乳用ブラジャー１では、着脱手段の嵌合を解除して、本体部２５，２６を肩紐１３の一部の範囲Ｗに沿って下方に変位させることで、当該本体部２５，２６を通常姿勢から授乳姿勢に変更することができる。かかる構成により、授乳姿勢の本体部２５，２６が、従来のストラップオープンブラジャーのように、その内面がめくれたような姿勢になることがないので、乳房が必要以上に露出されることがない上、授乳後に授乳姿勢から通常姿勢に戻す操作が容易である。
【００４６】
また、本実施形態の授乳用ブラジャー１は、本体部２５，２６が自律的に授乳姿勢を維持する構成であるため、従来のクロスオープンブラジャーのように、授乳姿勢が意図せず通常姿勢に戻ってしまうことがない。
【００４７】
また、本実施形態の授乳用ブラジャー１は、本体部２５，２６が、開放部Ｇ１によって、変位時のふらつきが制限される構成であるため、当該本体部２５，２６を通常姿勢から授乳姿勢に変更したり、授乳姿勢から通常姿勢に変更したりと、姿勢変更する際に伴う変位がスムーズである。
【００４８】
さらに、本実施形態の授乳用ブラジャー１は、本体部２５，２６に接続された肩紐１３が、カップ部１１，１２と内布３１ａ，３１ｂとの間に配された構成であるため、本体部２５，２６によって乳房が収容されている状態において、肩紐１３が乳房に直接当たることがない。これにより、妊娠中や産後の女性の敏感な乳房に対して肩紐が与え得る刺激を防止でき、快適な装着感を確保することができる。
【００４９】
［授乳用ブラジャー１の着用時の作用効果］
次に、本実施形態の授乳用ブラジャー１を使用者が実際に着用した際の作用効果について説明する。ここで、図６は、図１の授乳用ブラジャー１の実際の使用方法を示す説明図であり、（Ａ）は授乳直前の状況を示し、（Ｂ）は第２本体部２６を授乳姿勢に変更した状況を示し、（Ｃ）は授乳後に第２本体部２６を通常姿勢に変更した状況を示す図である。
【００５０】
本実施形態の授乳用ブラジャー１は、一般のブラジャーと同様の方法で着用することができる。すなわち、まず、脇帯１５を構成する被係合側脇帯１５ａと係合側脇帯１５ｂとを係合しない状態、つまり被係合側脇帯１５ａの被係合側端部と係合側脇帯１５ｂの係合側端部との繋がりを解除した状態で、使用者は肩紐１３を自身の肩に掛ける。そして、使用者は、一対のカップ部１１，１２を自身の乳房に当て、その状態で被係合側脇帯１５ａと係合側脇帯１５ｂとを自身の背中側で重ねて係合状態にする。これにより、一対のカップ部１１，１２と脇帯１５とによって環状構造が形成され、授乳用ブラジャー１が使用者の乳房の位置に固定される。
【００５１】
なお、こうして授乳用ブラジャー１が乳房の位置に固定された後に、カップ部１１，１２と乳房の相対的な位置関係を調整することもある。また、授乳用ブラジャーの着用方法は個人差があり、上記とは異なる方法で着用する場合もある。また、脇帯１５を係合状態にした後に使用者が肩紐１３の長さがフィットしていないと感じる場合は、一旦授乳用ブラジャー１を身体から取り外し、外した状態で肩紐１３の長さを適当な長さに調整する。そして、再び、上記同様の方法又は異なる方法で授乳用ブラジャー１を装着する。
【００５２】
本実施形態の授乳用ブラジャー１は、こうして使用者に着用されて乳児に授乳を行う際に、姿勢変更手段５による効果が発揮される。
【００５３】
例えば、図６（Ａ）に示すように、授乳用ブラジャー１を着用した使用者が右腕で乳児を抱えている状況では、その乳児の顔は使用者の右側の乳房寄りに位置する。また、右腕で乳児を抱えている場合、当該右腕の自由は利かず、乳児を抱えていない左腕の自由が利く状態となる。これらの状況を踏まえると、図６（Ａ）に示す使用者は、乳児に授乳を行う場合、右側の乳房を覆っている通常姿勢の第２本体部２６を自身の左手だけで授乳姿勢に変更しなければならない。
【００５４】
図６（Ａ）に示す通常姿勢の第２本体部２６は、着脱手段７が嵌合されているため、授乳姿勢に変更するためにはまずこの着脱手段７の嵌合を左手だけで解除する必要がある。着脱手段７は主に嵌合部３５と被嵌合部３６とで構成されており、着脱手段７の嵌合の解除はこれらの嵌め合わせを解除することで達成される。本実施形態の授乳用ブラジャー１では、被嵌合部３６がカップ部１２に縫着された被嵌合部設置部４１に取り付けられているため、使用者は当該被嵌合部設置部４１を嵌合部３５の凸部の突出方向（授乳用ブラジャー１の正面方向）に向けて左手で引っ張ることで、嵌合部３５と被嵌合部３６との嵌め合わせを容易に解除することができる。
【００５５】
被嵌合部設置部４１を介して着脱手段７の嵌合状態が解除されると、第２本体部２６と肩紐１３との接続状態が解除された状態となるため、第２本体部２６を肩紐１３の一部の範囲Ｗに沿って下方に変位（スライド）させることが可能となる。なお、第２本体部２６と肩紐１３との接続状態が解除されても、使用者等が当該第２本体部２６を下方に向けて変位させる力を掛けない限り、当該第２本体部２６は通常姿勢を維持する。
【００５６】
そして、肩紐１３との接続状態が解除された第２本体部２６は、下方に向けた力が掛けられることによって、授乳姿勢に向けて変位する。具体的には、例えば、使用者が被嵌合部設置部４１を把持して下方に向けて引っ張ることにより、第２本体部２６は肩紐１３の一部の範囲Ｗに沿って自身の形状を変形させながら授乳姿勢に向けて変位する。使用者が被嵌合部設置部４１を肩紐１３の一部の範囲Ｗに属する端部Ｊ又はその近傍に達するまで力を加えると、図６（Ｂ）に示すように、第２本体部２６が授乳姿勢となる。授乳姿勢に変更された第２本体部２６は、自律的にその姿勢を維持する。使用者は、この状態において乳児に授乳を行う。
【００５７】
乳児への授乳が終了すると、第２本体部２６を再び乳房を収容する通常姿勢に変更する。具体的には、例えば、使用者が被嵌合部設置部４１を把持して上方に向けて引っ張ることにより、第２本体部２６は肩紐１３の一部の範囲Ｗに沿って自身の形状を元の半球状の構造に戻しながら通常姿勢に向けて変位する。使用者が被嵌合設置部４１を肩紐１３の一部の範囲Ｗに属する上部に達するまで力を加えると、図６（Ｃ）に示すように、第２本体部２６が再び通常姿勢となる。通常姿勢に変更された第２本体部２６は、自律的にその姿勢を維持する。そして、使用者は、把持していた被嵌合部設置部４１に取り付けられた被嵌合部３６と肩紐１３に設けられた嵌合部３５とを向き合わせて嵌合させる。これにより、第２本体部２６と肩紐１３とが再び接続状態となり、第２本体部２６の通常姿勢が固定された状態となる。
【００５８】
［変形例］
以下に、本発明の授乳用ブラジャー１に係る変形例について説明する。
【００５９】
上記実施形態では、本体部２５，２６において、授乳用ブラジャー１の中心側に開放部を設け、本体部２５，２６の変位方向をガイドさせるべく、その開放部の所定の位置を縫着させて開放部Ｇ１を形成した構成として説明したが、他の実施形態では、開放部のいずれの箇所においても縫着箇所を設けない構成であってもよい。すなわち、本体部２５，２６の変位方向をガイドするガイド機能を備えない授乳用ブラジャーであっても構わない。
【００６０】
また、上記実施形態では、本体部２５，２６の変位方向をガイドさせるべく、開放部に１点だけ縫着した部分を設け、それによりガイド機能を持たせた構成として説明したが、他の実施形態では、本体部２５，２６の下端に至るまで直線状に連続的に縫着した部分を設けたり、所定間隔を空けて不連続に縫着した部分を設けてガイド機能を持たせた構成としてもよい。これにより、本体部２５，２６に対するガイド機能がより効果的なものとなる。
【００６１】
上記実施形態では、肩紐１３の一部の範囲Ｗに属する端部Ｊが、カップ部１１，１２と内布３１ａ，３１ｂの双方に接続された構成として説明したが、他の実施形態では、肩紐１３の一部の範囲に属する端部が、カップ部１１，１２と内布３１ａ，３１ｂのうちいずれか一方にのみ接続されるものであってもよい。
【００６２】
上記実施形態では、肩紐１３の一部の範囲Ｗに属さない肩紐１３の所定の箇所が、着脱手段７を介して、カップ部１１，１２に着脱自在に接続された構成として説明したが、他の実施形態では、肩紐１３の一部の範囲Ｗに属さない肩紐１３の所定の箇所が、着脱手段７を介して、内布３１ａ，３１ｂに着脱自在に接続されていてもよいし、カップ部１１，１２と内布３１ａ，３１ｂの双方に対して着脱自在に接続されていてもよい。
【００６３】
上記実施形態では、着脱手段７として嵌合機能を有する樹脂製のホック部材を採用した構成を示したが、本発明はこれに限定されず、樹脂製のボタンをスリット上の穴に係合させるものや、フック状の部材を引っ掛けるようなもの等、いかなるものを採用しても構わない。
【００６４】
上記実施形態では、カップ部１１，１２が着物のように打ち合わせたようなカシュクール構造のものを採用して説明したが、本発明はカシュクール構造の授乳用ブラジャーに限定されるものではない。
【符号の説明】
【００６５】
１    授乳用ブラジャー
１１    カップ部
１２    カップ部
１３    肩紐
２５    第１本体部
２６    第２本体部
３１    内布
Ｇ１    開放部
Ｗ    肩紐の一部の範囲
【要約】
【課題】本発明では、必要以上に乳房を露出することなく、乳児に対して容易に授乳を行うことが可能な授乳用ブラジャーを提供することを課題とする。
【解決手段】授乳用ブラジャー１は、各カップ部１１，１２と各内布３１ａ，３１ｂとの複合体たる本体部２５，２６を変位させることを可能とする姿勢変更手段５を有する。姿勢変更手段５は、肩紐１３の一部の範囲Ｗと、本体部２５，２６に設けられた開放部Ｇ１と、着脱手段７とで構成されている。肩紐１３の一部の範囲Ｗは、開放部Ｇ１を介して本体部２５，２６の内部に配され、その範囲Ｗに属する端部が本体部２５，２６に対して一体的に接続されている。着脱手段７は、カップ部１１，１２と肩紐１３とを着脱自在に接続するものである。カップ部１１，１２と肩紐１３との接続が解除された状態において、本体部２５，２６が肩紐１３の一部の範囲Ｗに沿って変位する。
【選択図】図５【図１】
0005954910.tif 000002
【図２】
0005954910.tif 000003
【図３】
0005954910.tif 000004
【図４】
0005954910.tif 000005
【図５】
0005954910.tif 000006
【図６】
0005954910.tif 000007